(57)【特許請求の範囲】
【請求項１】
操作者により選択された撮影計画に基づいて被検体の撮影を行うＸ線ＣＴ装置において、
撮影条件に対応付けられた複数の前記撮影計画を記憶する撮影計画記憶部と、
それぞれの前記撮影計画で撮影した場合の前記被検体に対する予想被曝線量をそれぞれ算出する被曝線量予想部と、
被曝線量の閾値を取得し、前記予想被曝線量が前記閾値を超えるか否かを前記撮影計画毎に判定する判定部と、
前記撮影計画を一覧表示する表示部と、
を備え、
前記被曝線量予想部は、未確定の撮影条件については被曝線量が最大になる条件を代用すると共に、確定している撮影条件を用いて、前記被検体に対する前記撮影計画毎の予想被曝線量を前記撮影計画の選択前にそれぞれ算出し、
前記表示部は、前記予想被曝線量が前記閾値を超える前記撮影計画を識別的態様となるように前記撮影計画を表示し、
前記未確定の撮影条件は、スキャン開始位置に係る撮影条件である、
Ｘ線ＣＴ装置。
【請求項２】
操作者により選択された撮影計画に基づいて被検体の撮影を行うＸ線ＣＴ装置において、
撮影条件に対応付けられた複数の前記撮影計画を記憶する撮影計画記憶部と、
それぞれの前記撮影計画で撮影した場合の前記被検体に対する予想被曝線量をそれぞれ算出する被曝線量予想部と、
被曝線量の閾値を取得し、前記予想被曝線量が前記閾値を超えるか否かを前記撮影計画毎に判定する判定部と、
前記撮影計画を表示する表示部と、
を備え、
前記被曝線量予想部は、未確定の撮影条件については被曝線量が最大になる条件を代用すると共に、確定している撮影条件を用いて、前記被検体に対する前記撮影計画毎の予想被曝線量を前記撮影計画の選択前にそれぞれ算出し、
前記表示部は、前記予想被曝線量が前記閾値を超えない前記撮影計画を表示し、
前記未確定の撮影条件は、スキャン開始位置に係る撮影条件である、
Ｘ線ＣＴ装置。
【請求項３】
前記予想被曝線量の算出前に、同一の前記被検体に対して実行済の撮影がある場合、前記被曝線量予想部は、前記予想被曝線量の算出時において、前記実行済の撮影における前記被検体の被曝線量を前記予想被曝線量に加算する
ことを特徴とする請求項１又は２に記載のＸ線ＣＴ装置。
【請求項４】
前記被検体が移動可能に載置される寝台をさらに備え、
撮影条件の設定に用いられるスキャノ画像が前記操作者による前記撮影計画の選択前に未撮影の場合、前記被曝線量予想部は、現在の前記寝台の位置において、Ｘ線の照射範囲となっている領域をスキャン範囲と仮定し、その一端をスキャン開始位置として、前記予想被曝線量を算出する
ことを特徴とする請求項１乃至３のいずれか１項に記載のＸ線ＣＴ装置。
【請求項５】
撮影条件の設定に用いられるスキャノ画像が前記操作者による前記撮影計画の選択前に撮影済であり、且つ、前記撮影計画が前記スキャノ画像のデータに基づいて管電流の変調を行うことで被曝線量を低減させるスキャン方法である場合、前記被曝線量予想部は、前記スキャノ画像によって示される領域内で被曝線量最大となるスキャン開始位置を算出後、算出した前記スキャン開始位置を撮影条件の１つとして前記予想被曝線量を算出する
ことを特徴とする請求項１乃至３のいずれか1項に記載のＸ線ＣＴ装置。
【請求項６】
操作者により選択された治療計画に基づいて放射線を照射する放射線治療装置において、
照射条件に対応付けられた複数の前記治療計画を記憶する治療計画記憶部と、
それぞれの前記治療計画で放射線を照射した場合の予想照射線量をそれぞれ算出する照射線量予想部と、
照射線量の閾値を取得し、前記予想照射線量が前記閾値を超えるか否かを前記治療計画毎に判定する判定部と、
前記治療計画を一覧表示する表示部と、
を備え、
前記照射線量予想部は、未確定の照射条件については照射線量が最大になる条件を代用すると共に、確定している照射条件を用いて、前記被検体に対する前記治療計画毎の予想被照射線量を前記治療計画の選択前にそれぞれ算出し、
前記表示部は、前記予想照射線量が前記閾値を超える前記治療計画を識別的態様となるように前記治療計画を表示し、
前記未確定の照射条件は、スキャン開始位置に係る照射条件である、
放射線治療装置。
【請求項７】
操作者により選択された治療計画に基づいて放射線を照射する放射線治療装置において、
照射条件に対応付けられた複数の前記治療計画を記憶する治療計画記憶部と、
それぞれの前記治療計画で放射線を照射した場合の予想照射線量をそれぞれ算出する照射線量予想部と、
照射線量の閾値を取得し、前記予想照射線量が前記閾値を超えるか否かを前記治療計画毎に判定する判定部と、
前記治療計画を表示する表示部と、
を備え、
前記照射線量予想部は、未確定の照射条件については照射線量が最大になる条件を代用すると共に、確定している照射条件を用いて、前記被検体に対する前記治療計画毎の予想被照射線量を前記治療計画の選択前にそれぞれ算出し、
前記表示部は、前記予想照射線量が前記閾値を超えない前記治療計画を表示し、
前記未確定の照射条件は、スキャン開始位置に係る照射条件である、
放射線治療装置。
【発明の詳細な説明】
【技術分野】
【０００１】
本発明の実施形態は、Ｘ線ＣＴ装置（Ｘ−ｒａｙ  Ｃｏｍｐｕｔｅｄ  Ｔｏｍｏｇｒａｐｈｙ：Ｘ線コンピュータ断層撮影装置）、及び、放射線治療装置に関する。
【背景技術】
【０００２】
Ｘ線ＣＴ装置では、予め設定された撮影条件下で被検体にＸ線を照射し、被検体を透過したＸ線を複数の検出素子で検出し、検出したＸ線を検出素子毎に電気信号に変換して投影データとして収集し、投影データに基づいて画像を再構成している。
【０００３】
Ｘ線ＣＴ装置による診断では多少の被曝は避けられないところ、過剰被曝の防止が望まれる。そこで、Ｘ線ＣＴ装置で撮影条件を設定する場合、例えば、複数の撮影計画を表示し、撮影前に予想被曝線量を算出する撮影計画支援装置が用いられる。具体的には、特許文献１の撮影計画支援装置では、撮影計画の選択後、最終的に確定した撮影条件でＸ線が照射された場合の被曝線量を算出し、基準値を超えた場合に警告している。
【先行技術文献】
【特許文献】
【０００４】
【特許文献１】特開２００９−６６２８８号公報
【発明の概要】
【発明が解決しようとする課題】
【０００５】
撮影条件の中には、どの撮影計画にするかを選択した後でないと、確定しない条件がある。従って、従来技術では、全撮影条件が確定したスキャン直前のタイミングで被曝線量を計算しているため、スキャン直前になって被曝線量が基準値を上回ることが通知される場合があった。通常、このような場合には、操作者は撮影条件を設定し直すことになる。
【０００６】
このため、Ｘ線ＣＴ装置などの患者への被曝を伴う診断装置において、スキャン直前に撮影条件を設定し直すことなく、過剰被曝を回避できるように撮影条件の設定を支援する技術が要望されていた。
【０００７】
同様に、放射線治療装置において、照射直前に照射条件を設定し直すことなく、過剰照射を回避できるように照射条件の設定を支援する技術が要望されていた。
【課題を解決するための手段】
【０００８】
一実施形態では、Ｘ線ＣＴ装置は、操作者により選択された撮影計画に基づいて被検体の撮影を行うものであり、撮影計画記憶部と、被曝線量予想部と、表示部とを備える。
撮影計画記憶部は、撮影条件に対応付けられた複数の撮影計画を記憶する。
被曝線量予想部は、それぞれの撮影計画で撮影した場合の被検体に対する予想被曝線量をそれぞれ算出する。
表示部は、撮影計画を一覧表示すると共に、予想被曝線量に対応する情報を識別可能に表示する。なお、別の一実施形態として、表示部は、予想被曝線量に基づいて撮影計画を選択し、選択した撮影計画を一覧表示する構成としてもよい。
【０００９】
一実施形態では、放射線治療装置は、操作者により選択された治療計画に基づいて放射線を照射するものであり、治療計画記憶部と、照射線量予想部と、表示部とを備える。
治療計画記憶部は、照射条件に対応付けられた複数の治療計画を記憶する。
照射線量予想部は、それぞれの治療計画で放射線を照射した場合の予想照射線量をそれぞれ算出する。
表示部は、治療計画を一覧表示すると共に、予想照射線量に対応する情報を識別可能に表示する。なお、別の一実施形態として、表示部は、予想照射線量に基づいて治療計画を選択し、選択した治療計画を一覧表示する構成としてもよい。
【図面の簡単な説明】
【００１０】
【図１】第１の実施形態におけるＸ線ＣＴ装置の構成を示すブロック図。
【図２】第１の実施形態において、表示部のモニタに一覧表示される撮影計画のリストの表示の一例を示す模式図。
【図３】第１の実施形態において、予想被曝線量が基準値を超えた撮影計画を識別表示した一例を示す模式図。
【図４】第１の実施形態において、予想被曝線量が基準値を超えた撮影計画を表示せずに、予想被曝線量が基準値以下の撮影計画のみを一覧表示した一例を示す模式図。
【図５】第１の実施形態のＸ線ＣＴ装置の動作の流れを示すフローチャート。
【図６】第２の実施形態における放射線治療装置の構成を示すブロック図。
【図７】第２の実施形態の放射線治療装置の動作の流れを示すフローチャート。
【発明を実施するための形態】
【００１１】
以下、本発明の実施形態を添付図面に基づいて説明する。なお、各図において同一要素には同一符号を付し、重複する説明を省略する。
【００１２】
（第１の実施形態）
図１は、第１の実施形態におけるＸ線ＣＴ装置２０の構成を示すブロック図である。図１に示すように、Ｘ線ＣＴ装置２０は、ガントリ２２と、Ｘ線管２４と、回転部２８と、寝台３２と、Ｘ線検出器３６と、高電圧発生器４０と、回転駆動部４４と、寝台制御部４８と、システムバス５２と、データ収集システム（Ｄａｔａ  Ａｃｑｕｉｓｉｔｉｏｎ  Ｓｙｓｔｅｍ：以下、ＤＡＳという）５６と、再構成部６０と、システム制御部６４と、記憶部６８と、撮影計画支援装置７０とを備える。
ガントリ２２は、円環状または円板状の回転部２８を回転可能に支持する。
【００１３】
寝台３２は、回転部２８の中央部に設けられた開口部（図示せず）に挿入され、寝台３２上には被検体Ｐが載置される。
【００１４】
回転部２８内では、Ｘ線管２４の放射口と、Ｘ線検出器３６とが被検体Ｐを間にして対向するように配置される。
【００１５】
Ｘ線検出器３６は、多チャンネルの検出素子を円弧状に配列した構成であり、Ｘ線管２４から照射されて被検体Ｐを透過したＸ線を検出する。
【００１６】
回転駆動部４４は、システム制御部６４から入力される駆動制御信号に基づいて回転部２８を駆動し、回転部２８に支持されたＸ線管２４及びＸ線検出器３６を被検体Ｐの周りで連続回転させる。
【００１７】
寝台制御部４８は、システム制御部６４から入力される寝台制御信号に基づいて、寝台３２の位置を制御する。
【００１８】
高電圧発生器４０は、不図示のスリップリングを介してＸ線管２４の高電圧ケーブルに接続されている。高電圧発生器４０は、システム制御部６４から供給されるＸ線制御信号に基づいて、所定の管電流及び管電圧をＸ線管２４に供給する。
【００１９】
システム制御部６４は、後述の入力部８０から入力される各種設定条件等に従って、Ｘ線ＣＴ装置２０の各部を制御する。また、システム制御部６４は、Ｘ線管２４の制御部（図示せず）に接続され、Ｘ線管２４により照射されるＸ線を用いた撮影を制御する。
【００２０】
ＤＡＳ５６は、Ｘ線検出器３６の各検出素子からの出力を時間積分する積分器と、積分器の出力をチャンネル単位で高速かつシリアルに取り込むマルチプレクサと、マルチプレクサの出力信号をデジタル信号に変換するＡ／Ｄコンバータとを有する。ＤＡＳ５６は、システム制御部６４から入力されるデータ収集制御信号に基づいて、Ｘ線検出器３６により検出されるＸ線パス毎のＸ線透過率を反映した投影データを収集し、これを再構成部６０及び記憶部６８に入力する。
【００２１】
再構成部６０は、被検体Ｐの複数のスライス面に対して収集された投影データに対して再構成処理を施し、被検体Ｐの画像の画像データを生成する。画像データとしては、マルチスライス画像データでも、ボリュームデータでもよい。ボリュームデータは、３次元的な画像データ、即ち、厚みのある範囲の画像データであり、例えば、各ボクセル（各画素）がその輝度レベルを規定するＣＴ値又は画素値を有するものである。
なお、ＣＴ値（Ｃｏｍｐｕｔｅｄ  Ｔｏｍｏｇｒａｐｈｙ  Ｎｕｍｂｅｒ）は、物質のＸ線吸収率を、例えば水などの基準物質に対する相対値として表したものである。
【００２２】
記憶部６８は、被検体Ｐの複数のスライス面に対して収集された投影データを保存する。また、記憶部６８は、再構成部６０により生成された画像データ（或いはボリュームデータ）を保存し、システム制御部６４の指令に従って、上記画像データ（或いはボリュームデータ）を表示部７８に入力する。
【００２３】
撮影計画支援装置７０は、例えば、前記システムバス５２と、撮影計画作成部７２と、被曝線量予想部７４と、判定部７６と、表示部７８と、入力部８０とを含む。
【００２４】
入力部８０は、キーボード、マウス、表示パネルや選択ボタン等の入力デバイスを備える。操作者は、投影データの収集に先立ち、入力部８０において被検体Ｐの情報の入力や後述の撮影計画の選択、投影データの収集条件、再構成条件、画像表示条件等の設定を行なうことができる。これにより設定された撮影条件は、撮影計画作成部７２及びシステム制御部６４に入力される。
【００２５】
撮影計画作成部７２は、入力部８０から入力された撮影条件に基づいて、複数の撮影計画を作成する。撮影計画作成部７２は、このように撮影条件に対応付けられた複数の撮影計画を記憶し、撮影計画記憶部としても機能する。撮影計画作成部７２は、作成した複数の撮影計画を表示部７８に入力する。
【００２６】
被曝線量予想部７４は、被検体Ｐに対する撮影計画毎の予想被曝線量を、撮影計画の選択前にそれぞれ算出する。
【００２７】
判定部７６は、過剰被曝を避けるために被検体に応じて設定された被曝線量の閾値（以下、基準値という）を取得する。なお、操作者が基準値を設定しない場合、判定部７６が基準値を算出する。判定部７６は、予想被曝線量が基準値を超えるか否かを撮影計画毎に判定し、判定結果を表示部７８に入力する。
【００２８】
表示部７８は、撮影計画作成部７２により作成された撮影計画のリストを（不図示のモニタに）一覧表示する。また、表示部７８は、撮影計画のリストの一覧表示に際して、予想被曝線量が閾値を超える撮影計画のみを識別的な表示態様とする。また、表示部７８は、再構成部６０により生成された画像データに患者情報等の付帯情報を付加して表示用画像データを生成し、表示用画像データに基づいて被検体Ｐの画像を表示する。
【００２９】
図２は、第１の実施形態において、表示部７８のモニタに一覧表示される撮影計画のリストの表示の一例を示す模式図である。以下、撮影計画作成部７２による撮影計画の作成方法について説明する。
【００３０】
Ｘ線ＣＴ装置による撮影では、一回の撮影は部位毎に複数のエレメントで構成され、各エレメントについて撮影条件が設定される。ここで、「エレメント」とは、単一の撮影条件の下で行われるスキャン動作の単位である。それぞれのエレメントについて、入力部８０を介して撮影計画作成部７２に対して、例えば以下の項目が撮影条件として入力可能である。
【００３１】
具体的には、スキャンエレメント番号、直前のエレメントの終了から当該エレメントの開始までの休止時間としての待ち時間、スキャン方式、エレメント内のスキャン回数、管電圧、管電流、再構成視野の直径、Ｘ線管が１回転するのに要するスキャン時間（回転時間）、スキャン総時間、撮影スライス厚などである。
【００３２】
撮影計画作成部７２は、既に入力された撮影条件を満たす範囲において、例えばスキャン方式などの主要な撮影条件が互いに異なる複数の撮影計画を作成する。なお、以下の説明では、スキャンとは、被検体ＰにＸ線を照射して、透過したＸ線を検出し、各検出素子毎に検出したＸ線を電気信号に変換することで得られた投影データを収集及び記録するまでの処理を指すものとする。また、撮影とは、上記スキャンと、スキャン後の画像再構成処理によって被検体の画像データを生成する動作とを合わせて指すものとする。
【００３３】
スキャン方式には、例えば、コンベンショナルスキャン、ヘリカルスキャン、ＲｅａｌＥＣ（Real Exposure Control）、ＶｏｌｕｍｅＥＣ（Volume Exposure Control）などがある。
【００３４】
コンベンショナルスキャンは、寝台３２の移動方向が例えば装置座標系のＺ軸方向であるとすると、Ｚ軸方向にスキャン位置を所定量だけ移動して、次のスキャンを順次行う方式である。
【００３５】
ヘリカルスキャンは、投影角度の変化に同期して寝台３２を所定速度で移動させ、スキャン位置を移動させながら投影データを収集する方式である。ヘリカルスキャン方式では、Ｘ線管２４とＸ線検出器３６とが被検体Ｐの周囲を螺旋状に回転する。
【００３６】
ＲｅａｌＥＣは、被曝線量を低減させるために、スキャノ画像のデータに基づいて、管電流の変調を行うスキャン方式である。スキャノ画像は、位置決めなどの撮影条件の設定のため、前もって撮影される予備的画像である。具体的には、スキャノ画像に基づいて、全スライスが同じ画像ＳＤで画像表示できる管電流の最低値を計算し、ヘリカルスキャン中に電流制御を行う。
【００３７】
なお、上記の画像ＳＤ（standard deviation）は、再構成した画像には含まれる画像ノイズを、均質ファントム像のＣＴ値のばらつきを標準偏差として定義したものである。
【００３８】
ＶｏｌｕｍｅＥＣは、全スライスが同じ画像ＳＤで画像表示できる２方向からの最低管電流値をスキャノ画像に基づいて計算し、ヘリカルスキャン中に電流制御を行うものである。
【００３９】
スキャノ画像は、撮影計画のリストの作成時において、撮影済の場合もあれば、未撮影の場合もある。撮影計画の選択後、撮影計画実行中に撮影計画の一環としてスキャノ画像を撮る場合もある。ここでは一例として、撮影計画作成部７２により作成された撮影計画は、例えばスキャン開始位置などの未確定の撮影条件を含むものとする。
【００４０】
図２において、選択ボタン１５０は、撮影計画のＰＬＡＮ１として、コンベンショナルスキャンのものが選択可能であることを示す。選択ボタン１５０の右側の線量表示ウィンドウ１５０ｘには、被曝線量予想部７４に算出された予想被曝線量が後から表示される（後述の図３参照）。
【００４１】
同様に、選択ボタン１５２は、撮影計画のＰＬＡＮ２として、ＲｅａｌＥＣのものが選択可能であることを示す。選択ボタン１５２の右側の線量表示ウィンドウ１５２ｘには、被曝線量予想部７４に算出された予想被曝線量が後から表示される（後述の図３参照）。
【００４２】
同様に、選択ボタン１５４は、撮影計画のＰＬＡＮ３として、ＶｏｌｕｍｅＥＣのものが選択可能であることを示す。選択ボタン１５４の右側の線量表示ウィンドウ１５４ｘには、被曝線量予想部７４に算出された予想被曝線量が後から表示される（後述の図３参照）。
【００４３】
状況説明ウィンドウ１７０は、現在の設定状況を説明するものである。この例では、撮影計画のＰＬＡＮ１〜３の予想被曝線量を計算中であることを示す。
ボタン１７２は、これがクリック等により選択されると、前の設定画面に戻すものである。
【００４４】
図３は、第１の実施形態において、予想被曝線量が基準値を超えた撮影計画を識別表示した一例を示す模式図である。撮影計画作成部７２が撮影計画のリストを作成後、被曝線量予想部７４は、被検体Ｐに対する撮影計画毎の予想被曝線量を撮影計画の選択前にそれぞれ算出し、算出結果を表示部７８に入力する。
【００４５】
具体的には、被曝線量予想部７４は、撮影計画の選択前に未確定の撮影条件については被曝線量が最大になる条件を代用すると共に、撮影計画の選択前に決定されている撮影条件を用いて、予想被曝線量を算出する。
【００４６】
被曝線量の算出に際しては、ここでは一例として、ＣＴＤＩ（Computed Tomography Dose Index）及びＤＬＰ（Dose Length Product）を用いる。添え字のないＣＴＤＩは、１ｃｍスライスの１枚あたりの概念上の被曝線量であるが、実際には種々の撮影条件を定めるため、その条件を添え字で表す。
例えばＣＴＤＩ１００は、スライス面に対する垂直線状の線量プロファイルをＤ（ｚ）としたとき、この線量プロファイルの−５０ｍｍから＋５０ｍｍの範囲の積算線量を、放射線源の３６０°回転で生成されるスライスの面の数Ｎと、スライス厚Ｔとの積により除したものである。ＣＴＤＩ１００は、例えば以下の（１）式で表される。
【００４７】
【数１】
0005865641.tif 000002
【００４８】
Ｄ（ｚ）の（ｚ）は、Ｘ線ＣＴ装置２０の装置座標系のＺ軸方向の位置座標の関数という意味である。このＺ軸方向は、例えば、寝台３２の移動方向に合致する。以下の説明では一例として、被検体Ｐの体軸方向（直立姿勢ならおよそ背骨の延在方向に沿った頭から足への方向）がＺ軸方向に合致するように、被検体Ｐは寝台３２上に載置されるものとする。
撮影範囲の中心におけるＣＴＤＩ１００の値をＣＴＤＩＣＥＮとし、周辺４箇所におけるＣＴＤＩ１００の平均値をＣＴＤＩＡＶＥとすれば、ＣＴＤＩＷは次式で表される。
【００４９】
ＣＴＤＩＷ＝｛ＣＴＤＩＣＥＮ／３｝＋｛ＣＴＤＩＡＶＥ×２／３｝  …（２）
【００５０】
ＣＴＤＩＷのＷは、重み付け加算平均（weighted）の意味である。
ＤＬＰは、コンベンショナルスキャンの場合、例えばスライス厚Ｔと、Ｘ線検出器３６における検出素子の列数ＮＤとをＣＴＤＩＷに乗じることで得られる。なお、以下の例では、過剰被曝を避けるための基準値の指標として、ＣＴＤＩＷ及びＤＬＰを用いるが、例えばＣＴＤＩＶＯＬやｍＳｖ（ミリシーベルト）などの他の指標を用いてもよい。
【００５１】
判定部７６は、予想被曝線量が前記基準値を超えるか否かを撮影計画毎に判定し、判定結果を表示部７８に入力する。
【００５２】
表示部７８は、被曝線量予想部７４から入力された予想被曝線量を、線量表示ウィンドウ１５０ｘ、１５２ｘ、１５４ｘにそれぞれ表示する。
【００５３】
また、表示部７８は、撮影計画のリストの表示に際して、図２の表示状態から、予想被曝線量が基準値を超える撮影計画のみを識別表示するように、表示態様を変える。図３の例では、撮影計画のＰＬＡＮ１のみ、予想被曝線量が基準値を超える（「基準値を超える」とは、ＣＴＤＩＷ、ＤＬＰの少なくとも一方が基準値を超える場合である）。このため、ＰＬＡＮ１の選択ボタン１５０及び線量表示ウィンドウ１５０ｘの枠を点線且つ太線にすることで、他の撮影計画のＰＬＡＮ２、３とは識別的にしている。
【００５４】
なお、これは識別表示の一例にすぎない。例えば、選択ボタン１５０のみを点滅表示にすることで、或いは、選択ボタン１５０のみを他の撮影計画とは異なる有彩色（赤など）に色付けすることで、識別表示してもよい。或いは、識別表示すると共に警告音声を流してもよいし、識別表示せずに警告音声を流してもよい。警告音声としては、例えば、「撮影計画のＰＬＡＮ１は、被曝声量が基準値を超えるおそれがあるので選択しないで下さい」といったものでよい。
【００５５】
そして、状況説明ウィンドウ１７０には、撮影計画のＰＬＡＮ１において予想被曝線量が基準値を超える旨が状況として説明表示される。
【００５６】
図４は、第１の実施形態において、予想被曝線量が基準値を超えた撮影計画を表示せずに、予想被曝線量が基準値以下の撮影計画のみを一覧表示した一例を示す模式図である。図４に示すように、表示部７８は、予想被曝線量算出後の撮影計画のリストの表示に際して、予想被曝線量が基準値を超える撮影計画を表示せずに（表示に際して削除して）、予想被曝線量が基準値を超えない撮影計画を表示するようにしてもよい。
【００５７】
図３及び図４のように予想被曝線量算出後には、例えば選択ボタン１５２（又は１５４）をクリックすることで、撮影計画のプラン２（又はプラン３）を操作者は選択できる。撮影計画が選択されると、選択された撮影計画の詳細な撮影条件を設定するための画面が表示され（図示せず）、操作者は未確定の撮影条件を設定することができる。
【００５８】
図５は、第１の実施形態のＸ線ＣＴ装置の動作の流れを示すフローチャートである。まず、図５のステップＳ１の前段階として、同一被検体Ｐに対して他の撮影が行われている場合と、行われていない場合とがある。
【００５９】
また、ステップＳ１の前段階として、同一の被検体Ｐに対してスキャノ画像を撮影済の場合と、未撮影の場合とがある。例えば同一の被検体Ｐに対して、前回の撮影の結果を見ながら、次の撮影計画を実施する場合、１回目の撮影計画の選択前にはスキャノ画像を未撮影であっても、１回目の撮影計画の実行中にスキャノ画像を撮影すれば、２回目の撮影を実施する前の撮影計画選択時には、スキャノ画像取得済という場合がある。
【００６０】
そして、操作者によって、被検体Ｐの情報（患者情報）などの一部の撮影条件が入力部８０を介して入力されている。
【００６１】
過剰被曝を避けるための基準値が操作者によって任意に設定される。基準値が操作者によって設定されない場合、被検体Ｐの情報や、撮影部位が確定している場合には撮影部位の情報も加味して、判定部７６が基準値のＣＴＤＩＷ及びＤＬＰを算出する。このとき、判定部７６は、ＩＣＲＰ（International Commission on Radiological Protection：国際放射線防護委員会）やＩＥＣ（International Electrotechnical Commission）などにより推奨された照射線量を超えないように基準値を算出する。
【００６２】
以下、前述の各図を参照しながら、図５に示すフローチャートのステップ番号に従って、Ｘ線ＣＴ装置の動作を説明する。
【００６３】
［ステップＳ１］撮影計画作成部７２は、既に入力された撮影条件を満たす範囲において、例えばスキャン方式などの主要な撮影条件が互いに異なる複数の撮影計画を作成する。この作成方法については、図２を用いて前述したので、更なる説明を省略する。表示部７８は、図２のように撮影計画のリストを一覧表示する。なお、この時点ではまだ、撮影計画は未選択である。この後、ステップＳ２に進む。
【００６４】
［ステップＳ２］被曝線量予想部７４は、予想被曝線量を未算出の撮影計画を１つ選択する（図２の例では、ＰＬＡＮ１〜ＰＬＡＮ３のいずれか１つ）。この後、ステップＳ３に進む。なお、以下の例のように撮影計画の１つずつを順次算出するのではなく、被曝線量予想部７４を複数設け、複数の撮影計画の予想被曝線量の算出を複数の被曝線量予想部７４にそれぞれ並行して算出させ、計算時間を短縮してもよい。
【００６５】
［ステップＳ３］同一の被検体Ｐに対して、既にスキャノ画像を撮影済であるか否かを被曝線量予想部７４は判定する。スキャノ画像を撮影済である場合、ステップＳ４に進み、そうではない場合、ステップＳ７に進む。なお、スキャノ画像がある場合、一般にスキャン開始位置は不確定である。この場合、スキャン開始位置ごとの被曝線量を計算し、最大値を取ることにより予想被曝線量を算出する（後述のステップＳ５、Ｓ６参照）。
【００６６】
［ステップＳ４］現在予想被曝線量の算出対象となっている撮影計画のスキャン方式が、ＲｅａｌＥＣ又はＶｏｌｕｍｅＥＣのいずれか一方であるか否かを、被曝線量予想部７４は判定する。ＲｅａｌＥＣ又はＶｏｌｕｍｅＥＣである場合、ステップＳ６に進み、そうではない場合、ステップＳ５に進む。
【００６７】
［ステップＳ５］ここでは一例として、被曝線量予想部７４は、スキャン方式がコンベンショナルスキャンであるものとして、予想被曝線量を算出する。
【００６８】
スキャン開始位置から、装置座標系のＺ軸方向（この例では、寝台３２の移動方向及び被検体Ｐの体軸方向に合致するものとする）に何ミリメートル動かしてスキャンするかは、ステップＳ１の前に撮影条件の１つとして定められている。例えば、Ｚ軸方向に１５０ミリメートル移動してスキャンする場合を考える。
【００６９】
この場合、被曝線量予想部７４は、Ｚ軸方向に例えば１センチメートル刻みで１次元的に位置を変えた、被検体Ｐを含む全ての１５０ミリメートルの各範囲の内、どの範囲が被曝線量最大になるかを算出する。具体的には例えば、各１５０ミリメートルの範囲に対してそれぞれ、予想被曝線量を算出してもよい。このとき、身長や体重などの被検体Ｐの情報に基づいて、公知の人体体格モデルを用いて、どの１５０ミリメートルの範囲において被曝線量が最大になるかを算出してもよい。
【００７０】
被曝線量予想部７４は、被検体Ｐの全身を対象範囲として、上記のようにして被曝線量が最大となるスキャン範囲を算出し、算出したスキャン範囲の端をスキャン開始位置と仮定する。このようにして、被曝線量予想部７４は、未確定の撮影条件については、被曝線量は最大となる条件を求めて、求めた条件を被曝線量の算出に用いる（ステップＳ６も同様）。この後、ステップＳ８に進む。
【００７１】
［ステップＳ６］被曝線量予想部７４は、スキャノ画像に示されている被検体Ｐの範囲のみを対象として、ステップＳ５と同様に被曝線量が最大となるスキャン範囲を算出し、算出したスキャン範囲の端をスキャン開始位置と仮定する。この後、ステップＳ１０に進む。
【００７２】
［ステップＳ７］このステップＳ７に到達するのは、スキャノ画像がない場合である。
スキャノ画像がない場合、撮影計画のスキャン方式は、ＲｅａｌＥＣ又はＶｏｌｕｍｅＥＣに設定されていることはなく、撮影計画の中でＸ線の出力（管電流等）も既に設定済みである。なお、一般に管電圧は、ステップＳ１の前に所定値に設定済である。
【００７３】
この場合、被曝線量予想部７４は、スキャン開始時には寝台３２が現在の位置にあると仮定することにより、スキャン開始位置を暫定的に決定する。具体的には例えば、現在の寝台３２の位置において、Ｘ線管２４の照射範囲となっている領域をスキャン範囲と仮定し、その一端をスキャン開始位置と仮定する。この後、ステップＳ８に進む。
【００７４】
［ステップＳ８］被曝線量予想部７４は、算出対象の撮影計画の予想被曝線量を算出する。この際、対象の撮影計画において確定している撮影条件については、その条件を用いるが、未確定の撮影条件については、ステップＳ７以前に求めた被曝線量最大となる条件を代用する。
【００７５】
全撮影条件が確定している場合の予想被曝線量の算出方法は特許文献１などにより公知技術であるが、本実施形態では、その公知の算出方法において、未確定の撮影条件については被曝線量最大となる条件を代用する点が大きく異なる。この後、ステップＳ９に進む。
【００７６】
［ステップＳ９］被曝線量予想部７４は、ステップＳ１以前に、現在表示されている撮影計画の対象の被検体Ｐと同一の被検体Ｐに対して、既に他の撮影を実行済か否かを判定する。実行済の場合、被曝線量予想部７４は、実行済の全ての撮影における同一の被検体Ｐへの実際の被曝線量の合計値を累積被曝線量（積算被曝線量）として算出する。
【００７７】
被曝線量予想部７４は、ステップＳ８で算出した予想被曝線量に累積被曝線量を加算することで、予想被曝線量を補正する。被曝線量予想部７４は、補正後の予想被曝線量を判定部７６及び表示部７８に入力する。表示部７８は、被曝線量予想部７４から入力された予想被曝線量を、線量表示ウィンドウ（１５０ｘ、１５２ｘ、１５４ｘ）に表示する（図３参照）。この後、ステップＳ１０に進む。
【００７８】
［ステップＳ１０］判定部７６は、算出対象の撮影計画の予想被曝線量がステップＳ１の前に設定された基準値を超えるか否かを判定し、判定結果を表示部７８に入力する。撮影計画の予想被曝線量が基準値を超える場合、ステップＳ１１に進み、そうではない場合、ステップＳ１２に進む。
【００７９】
［ステップＳ１１］表示部７８は、ステップＳ１０で入力された撮影計画、即ち、予想被曝線量が基準値を超える撮影計画の表示態様を識別的なものに変更する。このように、予想被曝線量が基準値を超える撮影計画の表示態様を識別的にすることで、予想被曝線量に対応する情報（例えば、基準値を超えるか否かの情報）が表示画面に付加される。識別表示については、図３を用いて前述した通りである。
【００８０】
なお、表示部７８は、識別表示すると共に警告音声を流してもよいし、識別表示せずに警告音声を流してもよい。或いは、表示部７８は、予想被曝線量が基準値を超える撮影計画を表示せずに、予想被曝線量が基準値を超えない撮影計画を表示するようにしてもよい（図４参照）。この後、ステップＳ１２に進む。
【００８１】
［ステップＳ１２］被曝線量予想部７４は、ステップＳ１で撮影計画作成部７２が作成した全ての撮影計画に対して予想被曝線量を算出したか否かを判定し、全て算出した場合にはステップＳ１３に進む。そうではない場合、ステップＳ２に戻り、被曝線量予想部７４は、別の撮影計画の予想被曝線量を算出する。
【００８２】
［ステップＳ１３］操作者により、表示部７８の画面上で、入力部８０を介して撮影計画のいずれかが選択される。撮影計画の選択後、未確定の撮影条件は、操作者により決定されるか、或いは撮影計画作成部７２により適正な値が自動算出されて設定される。
【００８３】
［ステップＳ１４］システム制御部６４は、ステップＳ１３までに選択及び決定された撮影計画の撮影条件に基づいてＸ線ＣＴ装置２０の各部を制御し、撮影を実行させる。具体的には、Ｘ線管２４から放射されたＸ線が被検体Ｐを透過し、Ｘ線検出器３６の検出素子によって検出される。この処理は、回転駆動部４４によって回転部２８を駆動し、回転部２８に支持されたＸ線管２４及びＸ線検出器３６を被検体Ｐの周りで連続回転させながら行われる。
【００８４】
ＤＡＳ５６は、Ｘ線検出器３６により順次検出されるＸ線パス毎のＸ線透過率を反映した投影データを収集し、これを再構成部６０及び記憶部６８に順次入力する。投影データの収集が終了すると、再構成部６０は、収集された投影データに対し再構成処理を施し、被検体Ｐの画像データ（或いはボリュームデータ）を生成し、これを記憶部６８に記憶させる。システム制御部６４は、入力部８０に対する入力に応じて、画像データ（或いはボリュームデータ）から得られる被検体Ｐの所望の断面を表示部８０に表示させる。
以上が本実施形態のＸ線ＣＴ装置２０の動作説明であり、以下、従来との違いについて説明する。
【００８５】
従来技術では、全撮影条件が確定しないと、即ち、スキャン直前のタイミングまで被曝線量を計算できず、撮影計画の選択前に予想被曝線量を表示できなかった。そのため、スキャン直前になって確定した全撮影条件に基づいて予想被曝線量を計算後、予想被曝線量が基準値を上回ることが通知され、撮影条件を設定し直す場合があった。
【００８６】
一方、本実施形態では、未確定の撮影条件には被曝線量最大となる条件を求めて代用することで撮影計画の選択前に予想被曝線量を算出し、基準値を超えた撮影計画を識別表示する。このため、操作者は、かかるガイド表示に従って、予想被曝線量が基準値を超えない撮影計画を選択するだけで、過剰被曝及び撮影条件の設定し直しを確実に回避できる。予想被曝線量は、未確定の撮影条件について被曝線量最大の条件を代用しているため、どの撮影計画を選択して実施しても、実際の被曝線量が予想被曝線量を上回ることはないからである。
【００８７】
また、予想被曝線量には、同一被検体Ｐ内での累積被曝線量を加算する（ステップＳ９）。従って、例えば非造影で撮影してから、同一の被検体Ｐに造影剤を投与後に撮影するといったように、複数の撮影計画を実行する場合にも、過剰被曝の点から安全性を容易に確保できる。即ち、被曝線量の観点から、確実に問題の無い撮影計画のみを早期の段階で提示することにより、操作者が撮影条件の設定に要する時間の短縮化、容易化を図ることができる。
【００８８】
以上説明した実施形態によれば、Ｘ線ＣＴ装置などの患者への被曝を伴う診断装置において、スキャン直前に撮影条件を設定し直すことなく、過剰被曝を回避できるように撮影条件の設定を支援できる。
【００８９】
（第２の実施形態）
図６は、第２の実施形態における放射線治療装置の構成を示すブロック図である。図６に示すように、放射線治療装置２００は、寝台２０８と、ガントリ２１２と、スタンド２１６と、破線で示す治療ヘッド２２０と、放射線透視部２２４と、システム制御部２２８と、治療計画支援装置２３２とを備える。
【００９０】
第２の実施形態は、未確定の照射条件には照射線量最大となる条件を求めて代用することで治療計画の選択前に予想照射線量を算出し、基準値を超えた照射計画を識別表示するものである。即ち、第２の実施形態は、Ｘ線ＣＴ装置としての第１の実施形態で述べた技術思想を放射線治療装置に適用したものであり、上記治療計画支援装置２３２は、第１の実施形態の撮影計画支援装置７０と同様に機能する。
【００９１】
図６において、寝台２０８は、システム制御部２２８の制御下で所定方向に移動可能であり、放射線治療の対象となる被検体Ｐが載置される。
【００９２】
スタンド２１６は、ガントリ２１２を支持し、ガントリ２１２を回転させるための駆動装置（図示せず）を内部に備える。
【００９３】
ガントリ２１２は、寝台２０８を挟んで対向するように治療ヘッド２２０と放射線透視部２２４とを支持しており、所定の方向に治療ヘッド２２０及び放射線透視部２２４を移動させ、それらの位置を調整する。また、ガントリ２１２は、不図示の電子銃等を内部に備える。
【００９４】
治療ヘッド２２０は、被検体Ｐの治療に用いられる治療用放射線ＥＢを発生する。具体的には、治療ヘッド２２０は、導波ガイド２２０ａと、ベンディングマグネット２２０ｂと、ターゲット２２０ｃと、コリメータ２２０ｄとを内部に備える。
【００９５】
ガントリ２２０内の電子銃によって発生した電子線ＥＬは、導波ガイド２２０ａによって加速されて、ベンディングマグネット２２０ｂに入射する。ベンディングマグネット２２０ｂは、入射した電子線ＥＬの方向を下方に向けることで、電子線ＥＬをターゲット２２０ｃに衝突させる。これにより、治療用放射線ＥＢが発生する。発生した治療用放射線ＥＢは、コリメータ２２０ｄによって照射形状や線量分布が調整された上で、被検体Ｐに照射される。
【００９６】
放射線透視部２２４は、被検体Ｐを透過した放射線を検出して、被検体Ｐの位置合せや患部領域の再確認を容易に行うための透視画像を撮影する。
【００９７】
システム制御部２２８は、放射線治療装置２００全体を制御し、上記のように各部を機能させることで放射線治療を実行させる。例えば、システム制御部２２８は、操作者による指示に応じて、スタンド２１６が有する駆動装置を駆動することでガントリ２１２を回転させる。また、例えば、システム制御部２２８は、放射線透視部２２４が有する不図示のカメラによって撮影された画像に対して所定の画像処理を施し、画像処理を施した画像を後述の表示部２４８に表示する。
【００９８】
治療計画支援装置２３２は、例えば、システムバス２４０と、治療計画作成部２４２と、照射線量予想部２４４と、判定部２４６と、表示部２４８と、入力部２５０とを含む。
【００９９】
入力部２５０は、各種入力デバイスを備える。操作者は、この入力部２５０において被検体Ｐの情報の入力や治療計画の選択、照射条件等の設定を行なう。これにより設定された照射条件は、治療計画作成部２４２及びシステム制御部２２８に入力される。
【０１００】
治療計画作成部２４２は、入力部２５０から入力された照射条件に基づいて、複数互いに異なる治療計画を作成する。治療計画作成部２４２は、このように照射条件に対応付けられた複数の治療計画を記憶し、治療計画記憶部としても機能する。治療計画作成部２４２は、作成した複数の治療計画を表示部２４８に入力する。
【０１０１】
照射線量予想部２４４は、被検体Ｐに対する治療計画毎の予想被曝線量を、治療計画の選択前にそれぞれ算出する。
【０１０２】
判定部２４６は、過剰照射を避けるために被検体Ｐに応じて設定された照射線量の閾値（以下、基準値という）を取得する。判定部２４６は、予想照射線量が基準値を超えるか否かを治療計画毎に判定し、判定結果を表示部２４８に入力する。
【０１０３】
表示部２４８は、治療計画作成部２４２により作成された治療計画のリストを（不図示のモニタに）一覧表示する。また、表示部２４８は、治療計画のリストの一覧表示に際して、予想照射線量が基準値を超える治療計画の表示態様を識別的にする。
【０１０４】
図７は、第２の実施形態の放射線治療装置の動作の流れを示すフローチャートである。まず、図７のステップＳ３１の前段階として、同一被検体Ｐに対して他の放射線治療が行われている場合と、行われていない場合とがある。また、操作者によって、被検体Ｐの情報（患者情報）などの一部の照射条件が入力部２５０を介して入力されている。
【０１０５】
過剰照射を避けるための照射線量の基準値が操作者によって任意に設定される。基準値が操作者によって設定されない場合、被検体Ｐの情報や、照射部位が確定している場合には照射部位の情報も加味して、判定部２４６が基準値を自動算出及び設定する。
以下、図７に示すフローチャートのステップ番号に従って、放射線治療装置２００の動作を説明する。
【０１０６】
［ステップＳ３１］治療計画作成部２４２は、既に設定済みの照射条件を満たす範囲において、照射条件が互いに異なる複数の治療計画を作成する。表示部２５０は、治療計画のリストを一覧表示する（図示せず）。この後、ステップＳ３２に進む。
【０１０７】
［ステップＳ３２］照射線量予想部２４４は、予想照射線量を未算出の治療計画を１つ選択する。この後、ステップＳ３３に進む。なお、以下の例のように治療計画の１つずつ順次算出するのではなく、照射線量予想部２４４を複数設け、複数の治療計画の予想照射線量の算出を複数の照射線量予想部２４４にそれぞれ並行して算出させ、算出時間を短縮してもよい。
【０１０８】
［ステップＳ３３］照射線量予想部２４４は、未確定の照射条件については、照射線量が最大となる条件を求める。そして、照射線量予想部２４４は、未確定の照射条件については照射線量最大となる条件を代用すると共に、確定している照射条件を用いて、予想照射線量を算出する。この後、ステップＳ３４に進む。
【０１０９】
［ステップＳ３４］照射線量予想部２４４は、ステップＳ３１以前に、現在表示されている治療計画の対象の被検体Ｐと同一の被検体Ｐに対して既に他の放射線治療を実行済か否かを判定する。実行済の場合、照射線量予想部２４４は、実行済の全ての放射線治療における同一の被検体Ｐへの実際の照射線量の合計値を累積照射線量として算出する。
【０１１０】
照射線量予想部２４４は、ステップＳ３３で算出した予想照射線量に累積照射線量を加算することで、予想照射線量を補正する。照射線量予想部２４４は、補正後の予想照射線量を判定部２４６及び表示部２４８に入力する。表示部２４８は、照射線量予想部２４４から入力された予想照射線量を、第１の実施形態と同様に表示する。この後、ステップＳ３５に進む。
【０１１１】
［ステップＳ３５］判定部２４６は、算出対象の治療計画の予想照射線量が基準値を超えるか否かを判定し、判定結果を表示部２４８に入力する。治療計画の予想照射線量が基準値を超える場合、ステップＳ３６に進み、そうではない場合、ステップＳ３７に進む。
【０１１２】
［ステップＳ３６］表示部２４８は、ステップＳ３５で入力された治療計画、即ち、予想照射線量が基準値を超える治療計画の表示態様を識別的なものに変更する。このように、予想照射線量が基準値を超える治療計画の表示態様を識別的にすることで、予想照射線量に対応する情報（例えば、基準値を超えるか否かの情報）が表示画面に付加される。識別表示については、第１の実施形態の図３と同様であるので、図示を省略する。
【０１１３】
なお、表示部２４８は、識別表示すると共に警告音声を流してもよいし、識別表示せずに警告音声を流してもよい。或いは、表示部２４８は、予想照射線量が基準値を超える治療計画を表示せずに、予想照射線量が基準値を超えない治療計画を表示するようにしてもよい。この後、ステップＳ３７に進む。
【０１１４】
［ステップＳ３７］照射線量予想部２４４は、ステップＳ１で治療計画作成部２４２が作成した全ての治療計画に対して予想照射線量を算出したか否かを判定し、全て算出した場合にはステップＳ３８に進む。そうではない場合、ステップＳ３２に戻り、照射線量予想部２４４は、別の治療計画の予想照射線量を算出する。
【０１１５】
［ステップＳ３８］操作者により、表示部２４８の画面上で、入力部２５０を介して治療計画のいずれかが選択される。治療計画の選択後、未確定の照射条件が決定される。
【０１１６】
［ステップＳ３９］システム制御部２２８は、ステップＳ３８までに選択及び決定された治療計画の照射条件に基づいて放射線治療装置２００の各部を制御し、放射線治療（被検体Ｐへの電子線の照射）を実行させる。以上が第２の実施形態の動作説明である。
【０１１７】
このように第２の実施形態では、未確定の照射条件には照射線量最大となる条件を求めて代用することで治療計画の選択前に予想照射線量を算出し、基準値を超えた治療計画を識別表示する。このため、操作者は、かかるガイド表示に従って、予想照射線量が基準値を超えない治療計画を選択するだけで、過剰照射及び照射条件の設定し直しを確実に回避できる。
【０１１８】
また、予想被曝線量には、同一被検体Ｐ内での累積照射線量を加算する。従って、同一被検体Ｐに対して放射線治療を複数回実行する場合にも、過剰照射の点から安全性を確保できる。
【０１１９】
以上説明した実施形態によれば、放射線治療装置において、照射直前に照射条件を設定し直すことなく、過剰照射を回避できるように照射条件の設定を支援できる。
【０１２０】
（実施形態の補足事項）
［１］第１の実施形態では、未確定の撮影条件として、ステップＳ５、Ｓ６ではスキャン開始位置を一例として挙げた。本発明の実施形態は、かかる態様に限定されるものではない。未確定の撮影条件として他のパラメータが存在する場合にも、被曝線量が最大となる条件を同様に算出し、それを代用することで、予想被曝線量を算出すればよい。
【０１２１】
［２］第１の実施形態では、予想被曝線量の算出時において、未確定の撮影条件については、被曝線量が最大となる条件を算出して、それを代用する例を述べた。本発明の実施形態は、かかる態様に限定されるものではない。
【０１２２】
例えば未確定の撮影条件のパラメータ数が多い場合、未確定の各撮影条件について、最大被曝線量の例えば９８％又は９５％又は９０％となる値を算出し、算出値を被曝線量が略最大となる条件として代用してもよい。未確定の撮影条件のパラメータ数が多い場合、全ての未確定の撮影条件について、被曝線量最大となる条件が撮影計画の選択後に決定される確率は低いと考えられるからである。第２の実施形態も同様に、未確定の照射条件について、最大照射線量の例えば９８％又は９５％又は９０％となる値を算出して、算出値を被曝線量が略最大となる条件として代用してもよい。
【０１２３】
［３］第１の実施形態では、過剰被曝を避けるための基準値として、ＣＴＤＩ及びＤＬＰの例を述べた。本発明の実施形態は、かかる態様に限定されるものではない。例えば皮膚が焦げる限界の線量や、髪が抜ける限界の線量など、他の基準となる線量を用いてもよい。さらには、それぞれの基準値を用いて被曝線量を段階的にチェックすることによって、操作者に対して、レベルに応じて段階的に警告を通知するようにしてもよい。
【０１２４】
［４］第１の実施形態では、予想被曝線量が基準値を超える撮影計画を識別表示する例を述べた。本発明の実施形態は、かかる態様に限定されるものではない。予想被曝線量が基準値を超えない撮影計画を識別表示することで、確実に基準値以下となる撮影計画と、それ以外の撮影計画とを画面上で区別（識別化）するようにしてもよい。第２の実施形態についても同様である。
【０１２５】
［５］第１の実施形態のように、未確定の撮影条件が含まれる場合に、被曝線量が最大となる条件を求めて代用することで予想被曝線量を算出し、確実に基準値以下となる撮影計画と、それ以外の撮影計画を識別する技術は、Ｘ線ＣＴ装置以外の診断装置にも適用可能である。例えば、マトリクス状に配列された複数の検出素子で被検体を透過したＸ線を検出し、各画素が検出素子毎のＸ線検出量に応じた輝度となるように、画像生成するＸ線診断装置にも適用可能である。
【０１２６】
［６］第２の実施形態では、放射線治療装置の一例として、電子線を照射する例を述べた。本発明の実施形態は、かかる態様に限定されるものではない。第２の実施形態の技術思想は、Ｘ線などの他の放射線を用いる放射線治療装置にも適用可能である。
【０１２７】
［７］本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１２８】
２０  Ｘ線ＣＴ装置
２２  ガントリ
２４  Ｘ線管
２８  回転部
３２  寝台
３６  Ｘ線検出器
４０  高電圧発生器
４４  回転駆動部
４８  寝台制御部
５２  システムバス
５６  ＤＡＳ
６０  再構成部
６４  システム制御部
６８  記憶部
７０  撮影計画支援装置
７２  撮影計画作成部
７４  被曝線量予想部
７６  判定部
７８  表示部
８０  入力部
１５０、１５２、１５４  選択ボタン
１５０ｘ、１５２ｘ、１５４ｘ  線量表示ウィンドウ
１７０  状況説明ウィンドウ
２００  放射線治療装置
２０８  寝台
２１２  ガントリ
２１６  スタンド
２２０  治療ヘッド
２２０ａ  導波ガイド
２２０ｂ  ベンディングマグネット
２２０ｃ  ターゲット
２２０ｄ  コリメータ
２２４  放射線透視部
２２８  システム制御部
２３２  治療計画支援装置
２４０  システムバス
２４２  治療計画作成部
２４４  照射線量予想部
２４６  判定部
２４８  表示部
２５０  入力部
ＥＢ  治療用放射線
ＥＬ  電子線
Ｐ  被検体
【図１】
0005865641.tif 000003
【図２】
0005865641.tif 000004
【図３】
0005865641.tif 000005
【図４】
0005865641.tif 000006
【図５】
0005865641.tif 000007
【図６】
0005865641.tif 000008
【図７】
0005865641.tif 000009